(57)【特許請求の範囲】
【請求項１】
アンテナを用いて第１周波数で複数の他の無線通信装置を宛先とした第１データと各無線通信装置からの応答を要求する応答要求情報とを含む第１フレームを送信する送信部と、
複数のアンテナを用いて第２周波数で前記他の無線通信装置から前記応答要求情報に応答した第２フレームを受信可能な受信部と、
前記第２フレームの受信状態に応じた前記第１データの再送信を行うように前記送信部を制御する制御部と、を備え、
前記制御部は、
前記第１フレームの送信から第１時間が経過したときに前記受信部で閾値以上の電力が受信された場合に、前記第１データの再送信として、前記第１フレームの再送信を行うように前記送信部を制御し、
前記第１フレームの送信から前記第１時間が経過したときに前記受信部で前記閾値より小さい電力が受信された場合に、前記第１データの再送信として、前記第２フレームが受信された無線通信装置を宛先とした第１データと当該第２フレームが受信された無線通信装置からの応答を要求する応答要求情報とを含む第３フレームの送信を行うように前記送信部を制御する、無線通信装置。
【請求項２】
前記応答要求情報は、否定応答を要求し、
前記受信部は、前記第２フレームとして否定応答フレームを受信可能である請求項１に記載の無線通信装置。
【請求項３】
前記第１フレームは、前記応答要求情報を含む第１マルチキャストフレームまたは第１ブロードキャストフレームである請求項１または２に記載の無線通信装置。
【請求項４】
前記第３フレームは、前記応答要求情報を含む第１ユニキャストフレームである請求項１に記載の無線通信装置。
【請求項５】
前記受信部は、アップリンクマルチユーザＭＩＭＯ方式の無線通信で前記第２フレームを受信可能である請求項１〜４のいずれか１項に記載の無線通信装置。
【請求項６】
アンテナを用いて第１周波数で複数の第２無線通信装置を宛先とした第１データと各第２無線通信装置からの応答を要求する応答要求情報とを含む第１フレームを送信する送信部と、
複数のアンテナを用いて第２周波数で前記第２無線通信装置から前記応答要求情報に応答した第２フレームを受信可能な受信部と、
前記第２フレームの受信状態に応じた前記第１データの再送信を行うように前記送信部を制御する制御部と、を備える第１無線通信装置と、
前記第２無線通信装置と、を備え、
前記制御部は、
前記第１フレームの送信から第１時間が経過したときに前記受信部で閾値以上の電力が受信された場合に、前記第１データの再送信として、前記第１フレームの再送信を行うように前記送信部を制御し、
前記第１フレームの送信から前記第１時間が経過したときに前記受信部で前記閾値より小さい電力が受信された場合に、前記第１データの再送信として、前記第２フレームが受信された第２無線通信装置を宛先とした第１データと当該第２フレームが受信された第２無線通信装置からの応答を要求する応答要求情報とを含む第３フレームの送信を行うように前記送信部を制御する、無線通信システム。
【請求項７】
アンテナを用いて第１周波数で複数の無線通信装置を宛先とした第１データと各無線通信装置からの応答を要求する応答要求情報とを含む第１フレームを送信し、
複数のアンテナを用いて第２周波数で前記無線通信装置から前記応答要求情報に応答した第２フレームを受信し、
前記第２フレームの受信状態に応じた前記第１データの再送信を行い、
前記第１フレームの送信から第１時間が経過したときに閾値以上の電力が受信された場合に、前記第１データの再送信として、前記第１フレームの再送信を行い、
前記第１フレームの送信から前記第１時間が経過したときに前記閾値より小さい電力が受信された場合に、前記第１データの再送信として、前記第２フレームが受信された無線通信装置を宛先とした第１データと当該第２フレームが受信された無線通信装置からの応答を要求する応答要求情報とを含む第３フレームの送信を行う、無線通信方法。
【発明の詳細な説明】
【技術分野】
【０００１】
本発明の実施形態は、無線通信装置、無線通信システムおよび無線通信方法に関する。
【背景技術】
【０００２】
ＵＬ−ＭＵ−ＭＩＭＯ(Uplink Multi-User multiple input multiple output)通信において、複数の子局は、同一周波数を用いて同時に親局にフレームを送信できる。また、マルチキャスト方式の無線通信において、親局は複数の子局に同じフレームを同報できる。
【０００３】
しかし、ＵＬ−ＭＵ−ＭＩＭＯには、フレームの送信を開始するための事前のハンドシェイクに時間がかかるといった問題がある。また、マルチキャストには、受信の成否が確認できず、通信の信頼性を確保することが困難であるといった問題がある。
【先行技術文献】
【特許文献】
【０００４】
【特許文献１】特表２０１２−５３１１０５号公報
【発明の概要】
【発明が解決しようとする課題】
【０００５】
通信速度および通信の信頼性を向上させることができる無線通信装置、無線通信システムおよび無線通信方法を提供する。
【課題を解決するための手段】
【０００６】
本実施形態による無線通信装置は、送信部と、受信部と、制御部とを備える。送信部は、アンテナを用いて第１周波数で複数の他の無線通信装置を宛先とした第１データと各無線通信装置からの応答を要求する応答要求情報とを含む第１フレームを送信する。受信部は、複数のアンテナを用いて第２周波数で他の無線通信装置から応答要求情報に応答した第２フレームを受信可能である。制御部は、第２フレームの受信状態に応じた第１データの再送信を行うように送信部を制御する。
【図面の簡単な説明】
【０００７】
【図１】第１の実施形態を示す無線通信システムのブロック図である。
【図２】第１の実施形態を示す第１無線通信装置のブロック図である。
【図３】図３Ａは、第１の実施形態の無線通信システムで送信される第１マルチキャストフレームの概略図であり、図３Ｂは、第１ユニキャストフレームの概略図である。
【図４】第１の実施形態の無線通信システムの第１の動作例を示すシーケンス図である。
【図５】第１の実施形態の無線通信システムの第２の動作例を示すシーケンス図である。
【図６】第１の実施形態の無線通信システムの第３の動作例を示すシーケンス図である。
【図７】第１の実施形態の第１無線通信装置の動作例を示すフローチャートである。
【図８】第２の実施形態の第１無線通信装置の動作例を示すフローチャートである。
【発明を実施するための形態】
【０００８】
以下、図面を参照して本発明に係る実施形態を説明する。本実施形態は、本発明を限定するものではない。
【０００９】
（第１の実施形態）
図１は、第１の実施形態を示す無線通信システム１のブロック図である。図１に示すように、第１の実施形態の無線通信システム１は、第１無線通信装置２と、複数の第２無線通信装置３とを備える。第１無線通信装置２と各第２無線通信装置３とは、例えば、ＩＥＥＥ８０２．１１に準拠した無線ＬＡＮ通信方式による無線通信を行う。なお、ＩＥＥＥ８０２．１１は、ＩＥＥＥ８０２．１１ａｘなどである（以下、同様）。
【００１０】
例えば、第１無線通信装置２は、無線ＬＡＮのアクセスポイントすなわち無線基地局であり、第２無線通信装置３は、無線ＬＡＮの無線端末すなわちステーションである。例えば、第１無線通信装置２と各第２無線通信装置３とは、１つの無線基地局と複数台の無線端末で構成されるインフラストラクチャモードの無線ＬＡＮのネットワークを構成する。なお、第１無線通信装置２と各第２無線通信装置３とは、無線基地局を介さず無線端末同士が直接通信を行うアドホックモードの無線ＬＡＮのネットワークを構成してもよい。また、第１無線通信装置２は、無線基地局同士が通信を行う無線ディストリビューションシステム（ＷＤＳ）のネットワークを構成してもよい。
【００１１】
第１無線通信装置２は、第２無線通信装置３の個数と同数以上の複数のアンテナ２０ａを備える。第１無線通信装置２は、少なくとも１つのアンテナ２０ａを用いて第１周波数すなわち同一周波数で同時すなわち一斉に各第２無線通信装置３に第１マルチキャストフレームを送信する。第１マルチキャストフレームは、各第２無線通信装置３を宛先すなわちマルチキャストアドレスとして指定した第１データと、各第２無線通信装置３からの否定応答（ＮＡＣＫ）を要求するＮＡＣＫ要求情報とを含む。なお、第１マルチキャストフレームは、第１フレームの一例である。ＮＡＣＫ要求情報は、各第２無線通信装置３からの応答を要求する応答要求情報の一例である。
【００１２】
第１無線通信装置２は、各アンテナ２０ａを用いて第２周波数すなわち同一周波数で各第２無線通信装置３からＮＡＣＫ要求情報に応答したＮＡＣＫフレームをまとめて受信可能である。なお、ＮＡＣＫフレームは、第２フレームの一例である。第１無線通信装置２は、ＵＬ−ＭＵ−ＭＩＭＯ方式の無線通信で各第２無線通信装置３からＮＡＣＫフレームを受信可能である。すなわち、第１無線通信装置２は、第２無線通信装置３毎のＮＡＣＫフレームを空間多重でまとめて受信可能である。
【００１３】
図２は、本実施形態を示す第１無線通信装置２のブロック図である。図２に示すように、第１無線通信装置２は、送信部２１と、受信部２２と、制御部２３とを備える。
【００１４】
送信部２１は、送信データの流れにおける上流側から順に、変調部２１１と、ＤＡＣ(Digital to Analog Converter)２１２と、無線部２００とを備える。変調部２１１は、制御部２３の後段に配置されている。無線部２００は、各アンテナ２０ａを有する。無線部２００は、送信部２１と受信部２２との共通の構成部である。
【００１５】
受信部２２は、受信データの流れにおける上流側から順に、無線部２００と、ＡＤＣ(Analog to Digital Converter)２２１と、電力測定部２２２と、復調部２２３とを備える。復調部２２３は、制御部２３の前段に配置されている。
【００１６】
なお、第２無線通信装置３も、第１無線通信装置２と同様の構成部を有していてもよい。
【００１７】
送信部２１は、各アンテナ２０ａを用いて第１周波数で同時に各第２無線通信装置３に第１マルチキャストフレームを送信する。
【００１８】
具体的には、制御部２３は、第１マルチキャストフレームを生成し、生成された第１マルチキャストフレームを変調部２１１に出力する。変調部２１１は、制御部２３から出力された第１マルチキャストフレームに対して、ＩＥＥＥ８０２．１１に準拠した所定の変調処理および符号処理を含む送信処理を実行する。送信処理は、例えば、誤り訂正符号化処理、インターリーブ処理およびＩＦＦＴ(inverse fast fourier transform)処理などを含んでもよい。変調部２１１は、送信処理が行われた第１マルチキャストフレームを、ＤＡＣ２１２に出力する。ＤＡＣ２１２は、変調部２１１から出力された第１マルチキャストフレームを、デジタル信号からアナログのベースバンド信号へと変換する。ＤＡＣ２１２は、アナログ信号への変換後の第１マルチキャストフレームを、無線部２００に出力する。無線部２００は、ＤＡＣ２１２から出力された第１マルチキャストフレームのベースバンド信号を、第１周波数でアップコンバートする。無線部２００は、アップコンバート後の第１マルチキャストフレームのベースバンド信号を、アンテナ２０ａから第２無線通信装置３に送出する。
【００１９】
受信部２２は、各アンテナ２０ａを用いて第２周波数で各第２無線通信装置３から第１マルチキャストフレームのＮＡＣＫ要求情報に応答したＮＡＣＫフレームを受信可能である。
【００２０】
具体的には、無線部２００は、第２無線通信装置３から送信されたＮＡＣＫフレームを、アンテナ２０ａを用いて第２周波数で受信する。第２周波数は、例えば、第１周波数である。無線部２００は、受信されたＮＡＣＫフレームをダウンコンバートする。無線部２００は、ダウンコンバート後のＮＡＣＫフレームをＡＤＣ２２１に出力する。ＡＤＣ２２１は、無線部２００から出力されたＮＡＣＫフレームを、デジタル信号に変換する。ＡＤＣ２２１は、デジタル信号への変換後のＮＡＣＫフレームを、復調部２２３に出力する。復調部２２３は、ＡＤＣ２２１から出力されたＮＡＣＫフレームに対して、ＩＥＥＥ８０２．１１に準拠した所定の復調処理および復号化処理を含む受信処理を実行する。受信処理は、例えば、ＯＦＤＭ(orthogonal frequency-division multiplexing)シンボルタイミング同期処理、ＦＦＴ(fast fourier transform)処理、デインターリーブ処理および誤り訂正復号化処理などを含んでもよい。復調部２２３は、受信処理が行われたＮＡＣＫフレームを制御部１３に出力する。
【００２１】
制御部２３は、ＮＡＣＫフレームの受信状態に応じた第１データの再送信を行うように送信部２１を制御する。
【００２２】
具体的には、電力測定部２２２は、ＮＡＣＫフレームの受信状態として、ＮＡＣＫフレームの受信電力を測定する。制御部２３は、第１マルチキャストフレームの送信から第１時間が経過したときに電力測定部２２２で閾値以上の電力が受信された場合に、第１データの再送信として第１マルチキャストフレームの再送信を行うように送信部２１を制御する。例えば、制御部２３は、第１マルチキャストフレームを再生成し、再生成された第１マルチキャストフレームを変調部２１１に出力する。なお、第１マルチキャストフレームの送信から第１時間が経過したときは、ＮＡＣＫフレームが受信されるべき期待時刻ということもできる。また、電力測定部２２２は、ＡＧＣ(automatic gain control)回路であってもよい。
【００２３】
また、制御部２３は、第１マルチキャストフレームの送信から第１時間が経過したときに電力測定部２２２で閾値より小さい電力が受信された場合に、第１データの再送信として第１ユニキャストフレームの送信を行うように送信部２１を制御する。第１ユニキャストフレームは、複数の第２無線通信装置３のうちＮＡＣＫフレームが受信された１つの第２無線通信装置３を宛先として指定した第１データと、当該１つの第２無線通信装置３からの否定応答を要求するＮＡＣＫ要求情報とを含む。ＮＡＣＫフレームが受信された第２無線通信装置３が２つ以上存在する場合、制御部２３は、当該２つ以上の第２無線通信装置３に順に第１ユニキャストフレームを送信する制御を行う。なお、第１ユニキャストフレームは、第３フレームの一例である。第１ユニキャストフレームの送信にあたって、制御部２３は、第１ユニキャストフレームを生成し、生成された第１ユニキャストフレームを変調部２１１に出力する。そして、送信部２１は、順に変調部２１１、ＤＡＣ２１２および無線部２００で第１ユニキャストフレームを処理したうえで、ＮＡＣＫフレームが受信された第２無線通信装置３に第１ユニキャストフレームを送信する。
【００２４】
なお、第１ユニキャストフレームは、ＮＡＣＫ要求情報に加えて、または、ＮＡＣＫ要求情報に代えて、第２無線通信装置３からの肯定応答（ＡＣＫ）を要求するＡＣＫ要求情報を含んでもよい。
【００２５】
また、制御部２３は、第１マルチキャストフレームの再送信から第１時間が経過したときに電力測定部２２２で閾値より小さい電力が受信された場合に、第１ユニキャストフレームの送信を行うように送信部２１を制御する。
【００２６】
もし、第１無線通信装置２が複数の第２無線通信装置３にユニキャストフレームのみを送信する場合、第１無線通信装置２は、１番目の第２無線通信装置３にユニキャストフレームを送信した後、１番目の第２無線通信装置３から応答フレームを受信しなければ２番目の第２無線通信装置３にユニキャストフレームを送信できない。これにより、フレームの送信を開始するための事前のハンドシェイクに時間がかかり、通信速度が遅くなってしまう。
【００２７】
これに対して、第１の実施形態では、マルチキャストで複数の第２無線通信装置３にまとめて第１マルチキャストフレームを送信でき、なおかつ、第１マルチキャストフレームの受信に失敗した第２無線通信装置３からＵＬ−ＭＵ−ＭＩＭＯでＮＡＣＫフレームをまとめて受信できる。これにより、ハンドシェイクの時間を削減できるとともに、受信の成否を確認できる。したがって、第１の実施形態の無線通信システム１によれば、通信速度および通信の信頼性を向上できる。
【００２８】
もし、多数の第２無線通信装置３からＮＡＣＫフレームが受信された場合において、ＮＡＣＫフレームが受信された第２無線通信装置３にユニキャストで第１データを再送信する場合、ハンドシェイクの時間がかかるばかりでなく、ＮＡＣＫフレームが受信された第２無線通信装置３を正確に判別することが困難となる。この結果、ＮＡＣＫフレームが受信された第２無線通信装置３に対して第１データを迅速かつ確実に再送信することが困難となる。
【００２９】
これに対して、第１の実施形態では、第１マルチキャストフレームの送信から第１時間が経過したときの受信電力が大きい場合に、ネットワーク内の全ての第２無線通信装置３に第１マルチキャストフレームを再送信できる。したがって、第１の実施形態の無線通信システム１によれば、通信速度および通信の信頼性を更に向上できる。
【００３０】
（無線通信方法）
次に、第１の実施形態の無線通信方法の一例として、無線通信システム１の動作例を説明する。図３Ａは、第１の実施形態の無線通信システム１で送信される第１マルチキャストフレームの概略図である。図３Ｂは、無線通信システム１で送信される第１ユニキャストフレームの概略図である。
【００３１】
図３Ａに示すように、第１マルチキャストフレームは、例えば、ヘッダと、フレームボディと、ＦＣＳ(frame check sequence)部とを有する。ヘッダは、複数のフィールドＦを有しており、その１つにマルチキャストアドレスフィールドがある。マルチキャストアドレスフィールドには、複数の第２無線通信装置３のアドレスすなわちマルチキャストアドレスが格納されている。フレームボディには、第１データが格納されている。ＦＣＳ部には、第１データが正常に受信できたか否かを判定するＣＲＣ(Cyclic Redundancy Code)が格納されている。なお、第１マルチキャストフレームは、マルチキャストアドレスの態様で各第２無線通信装置３を宛先として指定する代わりに、例えば、宛先グループの態様で各第２無線通信装置３を宛先として指定してもよい。
【００３２】
ヘッダの所定のフィールドＦには、ＮＡＣＫ要求情報の一例であるＮＡＣＫ要求フラグが格納されている。ＮＡＣＫ要求フラグは、例えば、ＮＡＣＫフレームを要求する場合には値が“１”であり、ＮＡＣＫフレームを要求しない場合には値が“０”である。ＮＡＣＫ要求フラグが格納されているフィールドＦは特に限定されない。例えば、ＮＡＣＫ要求フラグは、シーケンスコントロールフィールドなどに格納されていてもよい。
【００３３】
図３Ｂに示すように、第１ユニキャストフレームは、ヘッダ内に、単一の第２無線通信装置３のアドレスを格納したアドレスフィールドを有する。その他の点は第１マルチキャストフレームと同様でよい。
【００３４】
図４は、第１の実施形態の無線通信システム１の第１の動作例を示すシーケンス図である。以下、図４を用いて、ＮＡＣＫの応答が多い場合の無線通信方法について説明する。図４では、第１無線通信装置２の一例として、アクセスポイント（ＡＰ）を示し、複数の第２無線通信装置３の一例として、アクセスポイントのネットワーク内の第１〜第１００のステーション（ＳＴＡ＃１〜＃１００）を示している。
【００３５】
先ず、アクセスポイントは、第１周波数で同時に全てのステーション＃１〜＃１００に第１マルチキャストフレームを送信する（ステップＳ１１）。
【００３６】
次いで、第１〜第１５のステーション♯１〜＃１５は、第１マルチキャストフレーム中の第１データの受信すなわち復調に失敗し、第１６〜第１００のステーション♯１６〜＃１００は、第１データの受信に成功する（ステップＳ１２）。
【００３７】
次いで、第１データの受信に失敗した第１〜第１５のステーション♯１〜＃１５は、アクセスポイントにＮＡＣＫフレームを送信する（ステップＳ１３）。
【００３８】
次いで、アクセスポイントは、第１マルチキャストフレームの送信から第１時間が経過したときに閾値以上の電力が受信されたことに基づいて、第１周波数で同時に全てのステーション＃１〜＃１００に第１マルチキャストフレームを再送信する（ステップＳ１４）。
【００３９】
次いで、全てのステーション♯１〜＃１００が第１データの受信に成功し（ステップＳ１５）、これにより、アクセスポイントは処理を終了する（ステップＳ１６）。このとき、アクセスポイントは、第１マルチキャストフレームの再送信（ステップＳ１４）から第１時間が経過したときに電力が受信されなかったことに基づいて第１データの受信の成功を判断してもよい。
【００４０】
図５は、第１の実施形態の無線通信システム１の第２の動作例を示すシーケンス図である。次に、図５を用いて、ＮＡＣＫの応答が少ない場合の無線通信方法について説明する。
【００４１】
先ず、アクセスポイントは、第１周波数で同時に全てのステーション＃１〜＃１００に第１マルチキャストフレームを送信する（ステップＳ２１）。
【００４２】
次いで、第１〜第１４のステーション♯１〜＃１４は、第１データの受信に失敗し、第１５〜第１００のステーション♯１５〜＃１００は、第１データの受信に成功する（ステップＳ２２）。
【００４３】
次いで、第１データの受信に失敗した第１〜第１４のステーション♯１〜＃１４は、アクセスポイントにＮＡＣＫフレームを送信する（ステップＳ２３）。
【００４４】
次いで、アクセスポイントは、第１マルチキャストフレームの送信から第１時間が経過したときに閾値より小さい電力が受信されたことに基づいて、順にステーション＃１〜＃１４に第１ユニキャストフレームを送信する（ステップＳ２４＿１〜ステップＳ２４＿１４）。順にステーション＃１〜＃１４に第１ユニキャストフレームを送信する過程で、ステーション♯１〜＃１４は、順に第１データの受信に成功する（ステップＳ２５＿１〜ステップＳ２５＿１４）。ステーション＃１〜＃１４が受信に成功すると、アクセスポイントは、処理を終了する（ステップＳ２６）。
【００４５】
図６は、第１の実施形態の無線通信システム１の第３の動作例を示すシーケンス図である。次に、図６を用いて、ＮＡＣＫの応答が無い場合の無線通信方法について説明する。
【００４６】
先ず、アクセスポイントは、第１周波数で同時に全てのステーション＃１〜＃１００に第１マルチキャストフレームを送信する（ステップＳ３１）。
【００４７】
次いで、全てのステーション♯１〜＃１００が第１データの受信に成功し（ステップＳ３２）、これにより、アクセスポイントは、処理を終了する（ステップＳ３３）。このとき、アクセスポイントは、第１マルチキャストフレームおよび第１ユニキャストフレームのいずれも送信しない。
【００４８】
図７は、第１の実施形態の第１無線通信装置２の動作例を示すフローチャートである。次に、図７を用いて、第１無線通信装置２の詳細な動作例について説明する。
【００４９】
先ず、送信部２１は、少なくとも１つのアンテナ２０ａを用いて、第１周波数で同時に第１無線通信装置２のネットワーク内の全ての第２無線通信装置３に第１マルチキャストフレームを送信する（ステップＳ４１）。
【００５０】
次いで、電力測定部２２２は、受信電力の測定を開始する（ステップＳ４２）。
【００５１】
次いで、制御部２３は、第１マルチキャストフレームの送信から第１時間が経過したか否かを判定する（ステップＳ４３）。
【００５２】
第１時間が経過した場合（ステップＳ４３：Ｙｅｓ）、制御部２３は、電力測定部２２２で電力が受信されたか否かを判定する（ステップＳ４４）。第１時間が経過していない場合（ステップＳ４３：Ｎｏ）、制御部２３は、判定（ステップＳ４３）を繰り返す。
【００５３】
次いで、電力測定部２２２で電力が受信された場合（ステップＳ４４：Ｙｅｓ）、制御部２３は、受信電力が閾値以上であるか否かを判定する（ステップＳ４５）。電力測定部２２２で電力が受信されなかった場合（ステップＳ４４：Ｎｏ）、制御部２３は、処理を終了する。
【００５４】
受信電力が閾値以上である場合（ステップＳ４５：Ｙｅｓ）、制御部２３は、送信部２１を制御することで、全ての第２無線通信装置３に第１マルチキャストフレームを再送信する（ステップＳ４６）。その後は、第１マルチキャストフレームの送信（再送信）から第１時間が経過したか否かの判定（ステップＳ４３）およびそれ以後の処理を繰り返す。
【００５５】
受信電力が閾値より小さい場合（ステップＳ４５：Ｎｏ）、制御部２３は、送信部２１を制御することで、ＮＡＣＫフレームが受信された第２無線通信装置３に第１ユニキャストフレームを送信する（ステップＳ４７）。
【００５６】
次いで、制御部２３は、第１ユニキャストフレームを送信した全ての第２無線通信装置３が第１データの受信に成功したか否かを判定する（ステップＳ４８）。制御部２３は、第１ユニキャストフレームの送信から第１時間が経過したときにＮＡＣＫフレームが受信されなかったことに基づいて受信の成功を判断する。制御部２３は、第１ユニキャストフレームの送信から第１時間が経過したときにＡＣＫフレームが受信されたことに基づいて受信の成功を判断してもよい。
【００５７】
第１ユニキャストフレームを送信した全ての第２無線通信装置３が第１データの受信に成功した場合（ステップＳ４８：Ｙｅｓ）、制御部２３は、処理を終了する。第１データの受信に失敗した第２無線通信装置３すなわち再びＮＡＣＫフレームが受信された第２無線通信装置３が存在する場合、制御部２３は、第１データの受信に失敗した第２無線通信装置３に対して第１ユニキャストフレームを送信する（ステップＳ４７）。
【００５８】
以上述べたように、第１の実施形態によれば、第１無線通信装置２から複数の第２無線通信装置３に第１マルチキャストフレームを送信し、第２無線通信装置３からのＮＡＣＫフレームの受信状態に応じて各第２無線通信装置３に第１マルチキャストフレームを再送信することで、通信速度および通信の信頼性を向上できる。
【００５９】
（第２の実施形態）
次に、第２の実施形態として、ブロードキャストで第１データを送信する無線通信システム１の実施形態について説明する。なお、第２の実施形態において、第１の実施形態に対応する構成部については同一の符号を用いて重複した説明を省略する。
【００６０】
図８は、第２の実施形態の第１無線通信装置２の動作例を示すフローチャートである。図８に示すように、送信部２１は、ネットワーク内の全ての第２無線通信装置３に第１マルチキャストフレームを送信する（図７のステップＳ４１）代わりに、ネットワーク内の全ての第２無線通信装置３に第１ブロードキャストフレームを送信する（ステップＳ５１）。第１ブロードキャストフレームは、ネットワーク内の全ての第２無線通信装置３を宛先すなわちブロードキャストアドレスとして指定した第１データと、ＮＡＣＫ要求情報とを含む。
【００６１】
第１ブロードキャストフレームの送信にあたって、制御部２３は、第１ブロードキャストフレームを生成し、生成された第１ブロードキャストフレームを変調部２１１に出力する。変調部２１１は、制御部２３から出力された第１ブロードキャストフレームに対して、ＩＥＥＥ８０２．１１に準拠した所定の変調処理および符号処理を含む送信処理を実行する。変調部２１１は、送信処理が行われた第１ブロードキャストフレームを、ＤＡＣ２１２に出力する。ＤＡＣ２１２は、変調部２１１から出力された第１ブロードキャストフレームを、デジタル信号からアナログのベースバンド信号へと変換する。ＤＡＣ２１２は、アナログ信号への変換後の第１ブロードキャストフレームを、無線部２００に出力する。無線部２００は、ＤＡＣ２１２から出力された第１ブロードキャストフレームのベースバンド信号を、第１周波数でアップコンバートする。無線部２００は、アップコンバート後の第１ブロードキャストフレームのベースバンド信号を、アンテナ２０ａから第２無線通信装置３に送出する。
【００６２】
また、図８に示すように、第２の実施形態において、制御部２３は、全ての第２無線通信装置３に第１マルチキャストフレームを再送信する（図７のステップＳ４６）代わりに、全ての第２無線通信装置３に第１ブロードキャストフレームを再送信する（ステップＳ５２）。
【００６３】
第２の実施形態によれば、第１無線通信装置２から複数の第２無線通信装置３に第１ブロードキャストフレームを送信し、第２無線通信装置３からのＮＡＣＫフレームの受信状態に応じて各第２無線通信装置３に第１ブロードキャストフレームを再送信することで、通信速度および通信の信頼性を向上できる。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１  無線通信システム
２  第１無線通信装置
３  第２無線通信装置
２１  送信部
２２  受信部
２３  制御部
【図１】
0006479614.tif 000002
【図２】
0006479614.tif 000003
【図３】
0006479614.tif 000004
【図４】
0006479614.tif 000005
【図５】
0006479614.tif 000006
【図６】
0006479614.tif 000007
【図７】
0006479614.tif 000008
【図８】
0006479614.tif 000009